(57)【特許請求の範囲】
【請求項１】
椅子の基枠の後部に設けられ、かつ後上方を向くとともに、その上端部に背凭れが固着された背杆を、ほぼ水平をなすか、または若干後上方へ傾斜する下部背杆の上端部と、ほぼ垂直な上部背杆の下端部とを溶接することにより構成した椅子の背杆装置において、
前記下部背杆を、上片の両側部から側片が垂下する下向きコ字形とするとともに、前記両側片を、前記上片より上方に突出させ、突出した両側片の後縁部に、内向きの支持片を設け、前記上部背杆の下限上面が、前記上片の下面に当接し、かつ上部背杆の下端部下面が、前記支持片に当接するように、前記上部背杆の下端部を、下部背杆の上端部に挿入し、互いの重合部の端縁を溶接したことを特徴とする椅子の背杆装置。
【請求項２】
上部背杆を、後面が開口するチャンネル状の前板と、前面が開口するチャンネル状の後板との一方を、他方の内部に嵌合して、互いに重合する側片同士を溶接した請求項１記載の椅子の背杆装置。
【請求項３】
基枠の後方および下方を開口して、基枠の下方に後方を向くばねユニットの前端を軸着し、下部背杆の下方にばねユニットの後端を軸着した請求項１または２記載の椅子の背杆装置。
【請求項４】
上部背杆の上部両側に、取付板を設け、背杆の上部と取付板とに背凭れを取り付けるようにした請求項１〜３のいずれかに記載の椅子の背杆装置。
【発明の詳細な説明】
【０００１】
【発明の属する技術分野】
本発明は、椅子の脚柱の上端に固定した基枠に、上部に背凭れを取り付けた背杆の下部を、後方に回動可能に軸支し、かつ背杆を、ほぼ水平な下部背杆とほぼ垂直な上部背杆とを接合して構成した、椅子の背杆装置に関する。
【０００２】
【従来の技術】
この種の背杆装置は、例えば、実公平４−７４６号公報等に開示されている。
この考案においては、背杆を、ほぼ水平な下部背杆の後面と、ほぼ垂直な上部背杆の下部前面とを溶接して形成している。
【０００３】
【発明が解決しようとする課題】
しかし上述の考案では、溶接不良等により溶接部に万一不具合が生ずると、上部背杆とともに背凭れが下部背杆より落下するおそれがあり、安全上問題があった。
【０００４】
本発明は、このような問題点を解決するため、下部背杆と上部背杆の接合部に万一不都合が発生しても、上部背杆とともに背凭れが落下することがなく、着座者にとって安全な椅子の背杆装置を提供することを目的としている。
【０００５】
【課題を解決するための手段】
本発明によると、上記課題を次のようにして解決される。
(１)  椅子の基枠の後部に設けられ、かつ後上方を向くとともに、その上端部に背凭れが固着された背杆を、ほぼ水平をなすか、または若干後上方へ傾斜する下部背杆の上端部と、ほぼ垂直な上部背杆の下端部とを溶接することにより構成した椅子の背杆装置において、前記下部背杆を、上片の両側部から側片が垂下する下向きコ字形とするとともに、前記両側片を、前記上片より上方に突出させ、突出した両側片の後縁部に、内向きの支持片を設け、前記上部背杆の下限上面が、前記上片の下面に当接し、かつ上部背杆の下端部下面が、前記支持片に当接するように、前記上部背杆の下端部を、下部背杆の上端部に挿入し、互いの重合部の端縁を溶接する。
【０００６】
(２)  上記(１)項において、上部背杆を、後面が開口するチャンネル状の前板と、前面が開口するチャンネル状の後板との一方を、他方の内部に嵌合して、互いに重合する側片同士を溶接する。
【０００７】
(３)  上記(１)または(２)項において、基枠の後方および下方を開口して、基枠の下方に後方を向くばねユニットの前端を軸着し、下部背杆の下方にばねユニットの後端を軸着する。
【０００８】
(４)  上記(１)〜(３)項のいずれかにおいて、上部背杆の上部両側に、取付板を設け、背杆の上部と取付板とに背凭れを取り付けるようにする。
【０００９】
【発明の実施の形態】
図面は、本発明の一実施例を示すもので、椅子の脚柱(１)の上端に設けた水平な基枠(２)の上面には、上面に座席（図示省略）が取り付けられるとともに、下面と後面とが開口する方形箱状の座板(３)が遊嵌されており、基枠(２)の前端と座板(３)の前端部との間に設けた第１圧縮ばね(４)により、座板(３)は、前方に向けて付勢されている。
【００１０】
(５)は、後上方を向く背凭れ（図示省略）取付用の背杆であり、後上方に向かってゆるやかに傾斜する下部背杆(６)と、ほぼ垂直な上部背杆(７)とからなる。
下部背杆(６)は、上片(6a)と両側片(6b)とを備える下面開口するチャンネル状をなしており、両側片(6b)は、上片(6a)の上端よりも上方に突出し、突出部の後下端縁には、内向きの支持片(6c)が突設されている。
【００１１】
上部背杆(７)は、後面が開口するチャンネル状の前板(８)の内部に、前面が開口するチャンネル状の後板(９)を嵌合して、互いに重合する両側片(8a)(9a)同士の接合個所を溶接(10)することにより、角筒状に構成されている。
【００１２】
側片(8a)の外側面上部には、Ｌ字形に屈曲されるとともに、その前端面が前板(８)の前面とほぼ同一平面上に並ぶ取付板(11)が連設され、図示を省略した背凭れを、取付板(11)と前板(８)とに取り付けうるようになっている。
【００１３】
背杆(５)は、上部背杆(７)の下限上面を上片(6a)の下面に当接させ、かつ下端部下面を支持片(6c)に当接させるように（図１参照）、上部背杆(７)の下端部を、下部背杆(６)の上端部に挿入して、互いの重合部の端縁を溶接(10)することにより構成されている。
【００１４】
下部背杆(６)の前部は、基枠(２)に後方より嵌入され、その前端と中央上部は、それぞれ、座板(３)の側片(3a)の中央部に穿設した前上方に傾斜する第１長孔(12)と、側板(3a)の後端に穿設した前下方に傾斜する第２長孔(13)とに、第１枢軸(14)と第２枢軸(15)とにより傾動自在に軸支されている。
【００１５】
下部背杆(６)の後端と基枠(２)の下面後端に垂設された垂下片(16)との間には、前後１対の第３枢軸(17)により取り付けた第２圧縮ばね(18)が縮設されており、背杆(５)を、後上方に向けて付勢している。
【００１６】
図面は、椅子が空席の場合を示すもので、座板(３)は座席とともに、第１圧縮ばね(４)の付勢により前限に位置し、背杆(５)は背凭れとともに、第２圧縮ばね(18)の付勢により、前上限に位置している。
【００１７】
この状態の椅子に着座した着座者が、背凭れにもたれかかると、背杆(５)は背凭れとともに、第２圧縮ばね(18)に抗して後下方に傾動し、座板(３)は第１圧縮ばね(４)に抗して前方に移動しつつ若干下方に傾動するようになる。
【００１８】
このような本実施例によれば、下部背杆(６)の上端部に、上部背杆(７)の下端部を挿入してから、互いの重合部の端縁を溶接(10)して背杆(５)を構成しているので、万が一、溶接部に剥離等が生じたとしても、支持片(6c)の存在により、上部背杆(７)が後方に落下することはなく、安全である。
【００１９】
【発明の効果】
本発明は次のような効果を奏しうる。
（ａ）請求項１の発明によれば、下部背杆の後上部に形成した上向きに突出する側片と支持片の間に、上部背杆の前下部を挿入して、重合部の端縁を溶接することにより、背杆を構成しているので、万が一、溶接部が剥離しても、上部背杆は下部背杆の筒状部に支持されるので、背凭れ及び上部背杆が落下することはなく、安全である。
【００２０】
（ｂ）請求項２の発明によれば、下部背杆を、下向きコ字形のものとしたので、薄板を使用しても強固な下部背杆を形成できる。
【００２１】
（ｃ）請求項３の発明によれば、上部背杆の大部分が角筒状をなし、しかも両側面は前板と後板の側板同士が重合して、長い端縁が溶接されるので、薄板を使用しても強固な上部背杆を製作することができる。
【００２２】
（ｄ）請求項４の発明によれば、基枠の後面と下面および下部背杆の下面が開口しているので、背杆を前上方に付勢するばねユニットの交換が容易である。
【００２３】
（ｅ）請求項５の発明によれば、背杆として取付板を設けて、背凭れを、背杆と取付板の両者に取り付けるようにしたので、背凭れの取付強度が増大する。
【図面の簡単な説明】
【図１】  本発明の一実施例の側面図である。
【図２】  同じく背杆の分解斜視図である。
【符号の説明】
(１)脚柱
(２)基枠
(３)座板
(3a)側片
(４)第１圧縮ばね
(５)背杆
(６)下部背杆
(6a)上片
(6b)側片
(6c)支持片
(７)上部背杆
(８)前板
(8a)側片
(９)後板
(9a)側片
(10)溶接
(11)取付板
(12)第１長孔
(13)第２長孔
(14)第１枢軸
(15)第２枢軸
(16)垂下片
(17)第３枢軸
(18)第２圧縮ばね
【図１】
0003711509.tif 000002
【図２】
0003711509.tif 000003